【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
表示部と、
ユーザーのまばたき動作を検出するまばたき動作検出部と、
前記まばたき動作検出部が検出したまばたき動作に応じた制御を行なう制御部と、
を具備する画像表示装置。
【請求項２】
前記まばたき動作検出部は、前記ユーザーの左眼近傍に配置される第１の検出用電極と、前記ユーザーの右眼近傍に配置される第２の検出用電極と、前記第１及び第２の検出用電極間のほぼ中央に配置される参照用電極を備え、前記第１の検出用電極と前記参照用電極間で得られる第１の電位信号と前記第２の検出用電極と前記参照用電極間で得られる第２の電位信号の組み合わせに基づいて、左眼並びに右眼のまばたき動作を検出する、
請求項１に記載の画像表示装置。
【請求項３】
前記まばたき動作検出部は、前記第１の検出用電極並びに前記第２の検出用電極をそれぞれ左眼並びに右眼のほぼ真上又はほぼ真下に配置して、黒目の移動により発生する眼電位の影響を抑制する、
請求項２に記載の画像表示装置。
【請求項４】
前記まばたき動作検出部は、左眼からの距離と右眼からの距離がほぼ等しくなる場所に前記参照用電極を配置して、左眼の黒目の移動に伴う眼電位と右眼の黒目の移動に伴う眼電位を相殺する、
請求項２又は３のいずれかに記載の画像表示装置。
【請求項５】
前記まばたき動作検出部は、前記参照用電極を前記第１及び前記第２の検出用電極から近い場所に配置して、前記ユーザーの脳波の影響を抑制する、
請求項２乃至４のいずれかに記載の画像表示装置。
【請求項６】
前記まばたき動作検出部は、前記ユーザーの左眼近傍に配置される第１の検出用電極と、前記第１の電位信号並びに前記第２の電位信号の信号値の閾値、電位信号が変化する速度の閾値、並びに加速度の閾値との比較に基づいて、左眼並びに右眼の各まばたき動作を検出する、
請求項２乃至５のいずれかに記載の画像表示装置。
【請求項７】
前記まばたき動作検出部は、ユーザー毎のまばたき動作の検出に使用する電位信号の信号値の閾値、電位信号が変化する速度の閾値、並びに加速度の閾値を学習する、
請求項６に記載の画像表示装置。
【請求項８】
前記制御部は、前記まばたき動作検出部が検出したまばたき動作に応じて前記表示部の表示画面に対するＵＩ操作を行なう、
請求項１乃至７のいずれかに記載の画像表示装置。
【請求項９】
前記制御部は、左眼のみのまばたき動作、右眼のみのまばたき動作、両眼のまばたき動作の各々に応じた前記ＵＩ操作を行なう、
請求項８に記載の画像表示装置。
【請求項１０】
前記制御部は、前記表示画面上で、左眼のみのまばたき動作毎に左方向へのカーソル移動、右眼のみのまばたき動作毎に右方向へのカーソル移動、両眼のまばたき動作に応じた現在のカーソル位置の選択を行なう、
請求項８又は９のいずれかに記載の画像表示装置。
【請求項１１】
ユーザーの頭部に装着して用いられる情報入力装置であって、
前記ユーザーの左眼近傍に配置される第１の検出用電極と、前記ユーザーの右眼近傍に配置される第２の検出用電極と、前記第１及び第２の検出用電極間のほぼ中央に配置される参照用電極を備え、前記第１の検出用電極と前記参照用電極間で得られる第１の電位信号と前記第２の検出用電極と前記参照用電極間で得られる第２の電位信号の組み合わせに基づいて、左眼並びに右眼のまばたき動作を検出するまばたき動作検出部と、
前記まばたき動作検出部が検出したまばたき動作に応じた入力操作情報を外部に出力するインターフェースと、
を具備する情報入力装置。
【請求項１２】
表示部と、
ユーザーの眼近傍の電位信号を検出する電位信号検出部と、
前記電位信号検出部の検出結果に応じた制御を行なう制御部と、
を具備する画像表示装置。
【手続補正２】
【補正対象書類名】明細書
【補正対象項目名】００１３
【補正方法】変更
【補正の内容】
【００１３】
本願の請求項３に記載の技術によれば、請求項２に記載の画像表示装置の前記まばたき動作検出部は、前記第１の検出用電極並びに前記第２の検出用電極をそれぞれ左眼並びに右眼のほぼ真上又はほぼ真下に配置して、黒目の移動により発生する眼電位の影響を抑制するように構成されている。
【手続補正３】
【補正対象書類名】明細書
【補正対象項目名】００１９
【補正方法】変更
【補正の内容】
【００１９】
本願の請求項９に記載の技術によれば、請求項８に記載の画像表示装置の前記制御部は、左眼のみのまばたき動作、右眼のみのまばたき動作、両眼のまばたき動作の各々に応じた前記ＵＩ操作を行なうように構成されている。
【手続補正４】
【補正対象書類名】明細書
【補正対象項目名】００２６
【補正方法】変更
【補正の内容】
【００２６】
【図１】図１は、本提案に係る画像表示装置を前方から眺めた斜視図である。
【図２】図２は、本提案に係る画像表示装置を後方から眺めた斜視図である。
【図３】図３は、本提案に係る画像表示装置の側面図である。
【図４】図４は、額当て部１０２に装備された装着センサーの構成例を示した図である。
【図５】図５は、額当て部１０２に装備された高さ調節機構を示した図である。
【図６】図６は、額当て部１０２に装備された高さ調節機構を示した図である。
【図７】図７は、本明細書で開示する技術を適用した画像表示装置７００の内部構成例を示した図である。
【図８】図８は、まばたき動作検出用の筋電位センサーを額当て部１０２に配設した例を示した図（正面図）である。
【図９】図９は、まばたき動作検出用の筋電位センサーを額当て部１０２に配設した例を示した図（上面図）である。
【図１０】図１０は、ユーザーの眼が水平方向に移動するときにまばたき動作検出用電極８０１、８０２に入力される眼電位信号を説明するための図である。
【図１１】図１１は、ユーザーの両眼が右側を向いたときに参照用電極８０３に入力される眼電位信号を説明するための図である。
【図１２】図１２は、ユーザーの両眼が左側を向いたときに参照用電極８０３に入力される眼電位信号を説明するための図である。
【図１３】図１３は、まばたき動作検出用の筋電位センサーを額当て部１０２に配設した他の例を示した図（正面図）である。
【図１４】図１４は、図８及び図９に示した筋電位センサーの出力信号を処理する回路の構成を模式的に示した図である。
【図１５】図１５は、左眼のまばたき動作検出用電極８０１及び右眼のまばたき動作検出用電極８０２からそれぞれ得られる電位信号を示したタイミング・チャートである。
【図１６】図１６は、意図的なまばたき動作時と、無意識なまばたきを行なったときの筋電位レベルを重ねて示したタイミング・チャートである。
【図１７】図１７は、意図的なまばたき動作時と、無意識なまばたきを行なったときの筋電位レベルを重ねて示したタイミング・チャートである。
【図１８】図１８は、ユーザーのまばたき動作を利用したＵＩ操作例を示した図（１回の左眼のまばたき動作に応じてメニュー・バー上のカーソル位置が左方向へ１つずつ移動する様子を示した図）である。
【図１９】図１９は、ユーザーのまばたき動作を利用したＵＩ操作例を示した図（１回の右眼のまばたき動作に応じてメニュー・バー上のカーソル位置が右方向へ１つずつ移動する様子を示した図）である。
【図２０】図２０は、ユーザーのまばたき動作を利用したＵＩ操作例を示した図（両眼同時のまばたき動作に応じてメニュー・バー上の現在のカーソル位置が選択された様子を示した図）である。
【図２１】図２１は、ユーザーのまばたき動作を利用したＵＩ操作例を示した図（両眼同時のまばたき動作に応じて選択されたメニューからメニュー項目一覧がプルダウン表示される様子を示した図）である。
【図２２】図２２は、ユーザーのまばたき動作を利用したＵＩ操作例を示した図（プルダウン・メニュー上で左眼又は右眼のまばたき動作に応じてカーソル位置が上下に移動する様子を示した図）である。
【図２３】図２３は、ユーザーのまばたき動作を利用したＵＩ操作例を示した図（プルダウン・メニュー上で左眼又は右眼のまばたき動作に応じてカーソル位置が上下に移動する様子を示した図）である。
【図２４】図２４は、ユーザーのまばたき動作を利用したＵＩ操作例を示した図（プルダウン・メニュー上で両眼同時のまばたき動作に応じてメニュー項目が選択された様子を示した図）である。
【図２５】図２５は、ユーザーのまばたき動作を利用したＵＩ操作例を示した図（両眼まばたき動作を２回連続して選択を確定させる様子を示した図）である。
【図２６】図２６は、本明細書で開示する技術を適用した情報入力装置２６００の内部構成例を示した図である。
【手続補正５】
【補正対象書類名】明細書
【補正対象項目名】００３７
【補正方法】変更
【補正の内容】
【００３７】
入力操作部７０２は、キーやボタン、スイッチなど、ユーザーが入力操作を行う１以上の操作子を備え、操作子を介したユーザーの指示を受け付けて、制御部７０１に出力する。また、入力操作部７０２は、リモコン受信部７０３で受信したリモコン・コマンドからなるユーザーの指示を同様に受け付けて、制御部７０１に出力する。但し、当該装置７００を装着中のユーザーにとっては、入力操作部７０２やリモコン（図示しない）への操作は、ほぼ目隠し状態での手探り操作となる。
【手続補正６】
【補正対象書類名】明細書
【補正対象項目名】００６２
【補正方法】変更
【補正の内容】
【００６２】
判定部１４０５は、左眼のまばたき動作検出用電極８０１及び右眼のまばたき動作検出用電極８０２からそれぞれ得られた差動増幅後の電位信号ＤL、ＤRに基づいて、ユーザーが左眼、右眼、両眼を意図的にまばたきしたかどうかを検出する。
【手続補正７】
【補正対象書類名】明細書
【補正対象項目名】００８９
【補正方法】変更
【補正の内容】
【００８９】
制御部２６０１は、ＲＯＭ２６０１ＡやＲＡＭ２６０１Ｂを備えている。ＲＯＭ２６０１Ａ内には、制御部２６０１で実行するプログラム・コードや各種データを格納している。制御部２６０１は、ＲＡＭ２６０１Ｂへロードしたプログラムを実行することで、ＵＩ操作を始め、当該装置２６００全体の動作を統括的にコントロールする。
【手続補正８】
【補正対象書類名】明細書
【補正対象項目名】００９２
【補正方法】変更
【補正の内容】
【００９２】
入出力インターフェース２６０３には、パーソナル・コンピューターやビデオ再生装置などＵＩ操作の対象となる外部機器が相互接続されている。機器間の相互接続には、例えばＭＨＬやＵＳＢ、ＨＤＭＩ、Ｂｌｕｅｔｏｏｔｈ（登録商標）通信、赤外線通信などを利用することができる。
【手続補正９】
【補正対象書類名】明細書
【補正対象項目名】００９３
【補正方法】変更
【補正の内容】
【００９３】
図示を省略するが、パーソナル・コンピューターやビデオ再生装置などの外部機器は、メニュー画面などを表示する表示部を備えており、情報入力装置２６００から送られてくる左眼のみのまばたき動作、右眼のみのまばたき動作、両眼同時のまばたき動作の３通りの入力に基づいて、図１８乃至図２５に示したと同様のＵＩ操作が行なわれる。
【手続補正１０】
【補正対象書類名】明細書
【補正対象項目名】００９４
【補正方法】変更
【補正の内容】
【００９４】
Ｅ．本明細書で開示する技術の構成
本明細書の開示の技術は、以下のような構成をとることも可能である。
（１）表示部と、ユーザーのまばたき動作を検出するまばたき動作検出部と、前記まばたき動作検出部が検出したまばたき動作に応じた制御を行なう制御部と、を具備する画像表示装置。
（２）前記まばたき動作検出部は、前記ユーザーの左眼近傍に配置される第１の検出用電極と、前記ユーザーの右眼近傍に配置される第２の検出用電極と、前記第１及び第２の検出用電極間のほぼ中央に配置される参照用電極を備え、前記第１の検出用電極と前記参照用電極間で得られる第１の電位信号と前記第２の検出用電極と前記参照用電極間で得られる第２の電位信号の組み合わせに基づいて、左眼並びに右眼のまばたき動作を検出する、
上記（１）に記載の画像表示装置。
（３）前記まばたき動作検出部は、前記第１の検出用電極並びに前記第２の検出用電極をそれぞれ左眼並びに右眼のほぼ真上又はほぼ真下に配置して、黒目の移動により発生する眼電位の影響を抑制する、上記（２）に記載の画像表示装置。
（４）前記まばたき動作検出部は、左眼からの距離と右眼からの距離がほぼ等しくなる場所に前記参照用電極を配置して、左眼の黒目の移動に伴う眼電位と右眼の黒目の移動に伴う眼電位を相殺する、上記（２）に記載の画像表示装置。
（５）前記まばたき動作検出部は、前記参照用電極を前記第１及び前記第２の検出用電極から近い場所に配置して、前記ユーザーの脳波の影響を抑制する、上記（２）に記載の画像表示装置。
（６）前記まばたき動作検出部は、前記ユーザーの左眼近傍に配置される第１の検出用電極と、前記第１の電位信号並びに前記第２の電位信号の信号値の閾値、電位信号が変化する速度の閾値、並びに加速度の閾値との比較に基づいて、左眼並びに右眼の各まばたき動作を検出する、上記（２）に記載の画像表示装置。
（７）前記まばたき動作検出部は、ユーザー毎のまばたき動作の検出に使用する電位信号の信号値の閾値、電位信号が変化する速度の閾値、並びに加速度の閾値を学習する、上記（６）に記載の画像表示装置。
（８）前記制御部は、前記まばたき動作検出部が検出したまばたき動作に応じて前記表示部の表示画面に対するＵＩ操作を行なう、上記（１）に記載の画像表示装置。
（９）前記制御部は、左眼のみのまばたき動作、右眼のみのまばたき動作、両眼のまばたき動作の各々に応じた前記ＵＩ操作を行なう、上記（８）に記載の画像表示装置。
（１０）前記制御部は、前記表示画面上で、左眼のみのまばたき動作毎に左方向へのカーソル移動、右眼のみのまばたき動作毎に右方向へのカーソル移動、両眼のまばたき動作に応じた現在のカーソル位置の選択を行なう、
請求項８に記載の画像表示装置。
（１１）ユーザーの頭部に装着して用いられる情報入力装置であって、前記ユーザーの左右の眼のまばたき動作を検出するまばたき動作検出部と、前記まばたき動作検出部が検出したまばたき動作に応じた入力操作情報を外部に出力するインターフェースと、を具備する情報入力装置。
（１２）前記まばたき動作検出部は、前記ユーザーの左眼近傍に配置される第１の検出用電極と、前記ユーザーの右眼近傍に配置される第２の検出用電極と、前記第１及び第２の検出用電極間のほぼ中央に配置される参照用電極を備え、前記第１の検出用電極と前記参照用電極間で得られる第１の電位信号と前記第２の検出用電極と前記参照用電極間で得られる第２の電位信号の組み合わせに基づいて、左眼並びに右眼のまばたき動作を検出する、上記（１１）に記載の情報入力装置。
（１３）前記まばたき動作検出部は、前記第１の検出用電極並びに前記第２の検出用電極をそれぞれ左眼並びに右眼のほぼ真上又はほぼ真下に配置して、黒目の移動により発生する眼電位の影響を抑制する、上記（１２）に記載の情報入力装置。
（１４）前記まばたき動作検出部は、左眼からの距離と右眼からの距離がほぼ等しくなる場所に前記参照用電極を配置して、左眼の黒目の移動に伴う眼電位と右眼の黒目の移動に伴う眼電位を相殺する、上記（１２）に記載の情報入力装置。
（１５）前記まばたき動作検出部は、前記参照用電極を前記第１及び前記第２の検出用電極から近い場所に配置して、前記ユーザーの脳波の影響を抑制する、上記（１２）に記載の情報入力装置。
（１６）前記まばたき動作検出部は、前記ユーザーの左眼近傍に配置される第１の検出用電極と、前記第１の電位信号並びに前記第２の電位信号の信号値の閾値、電位信号が変化する速度の閾値、並びに加速度の閾値との比較に基づいて、左眼並びに右眼の各まばたき動作を検出する、上記（１２）に記載の情報入力装置。
（１７）前記まばたき動作検出部は、ユーザー毎のまばたき動作の検出に使用する電位信号の信号値の閾値、電位信号が変化する速度の閾値、並びに加速度の閾値を学習する、上記（１６）に記載の情報入力装置。
（１８）左眼のみのまばたき動作、右眼のみのまばたき動作、両眼のまばたき動作の各々に応じた前記入力操作情報を前記インターフェースから出力する、上記（１１）に記載の情報入力装置。
（１９）左眼のみのまばたき動作毎に左方向への移動、右眼のみのまばたき動作毎右方向への移動、両眼のまばたき動作に応じた現在の位置の選択をそれぞれ指示する前記ＵＩ操作情報を前記インターフェースから出力する、上記（１１）に記載の情報入力装置。
（２０）表示部と、ユーザーの眼近傍の電位信号を検出する電位信号検出部と、前記電位信号検出部の検出結果に応じた制御を行なう制御部と、を具備する画像表示装置。
【手続補正１１】
【補正対象書類名】明細書
【補正対象項目名】０１００
【補正方法】変更
【補正の内容】
【０１００】
１０２…額当て部、１０３…鼻当て部
１０４…上バンド、１０５…下バンド
１４１…タクト・スイッチ、１４２…回転軸
１４３…アーム、１４４…スプリング
７０１…制御部、７０１Ａ…ＲＯＭ、７０１Ｂ…ＲＡＭ
７０２…入力操作部、７０３…リモコン受信部
７０４…環境情報取得部、７０５…状態情報取得部
７０６…通信部、７０７…画像処理部
７０８…表示駆動部、７０９…表示パネル、７１０…虚像光学部
８０１、８０２…まばたき動作検出用電極、８０３…参照用電極
２６００…情報入力装置
２６０１…制御部、２６０１Ａ…ＲＯＭ、２６０１Ｂ…ＲＡＭ